(57)【要約】【課題】  電動昇降棚の内部を乾燥や収納などの機能に対応させて使い勝手よく区画し良好な収納形態を実現することができ、且つ剛性の高い昇降棚付き収納庫を提供する。【解決手段】  昇降棚付き収納庫１は、ケース２７と電動昇降棚７を備え、キッチンの上部に配置されている。電動昇降棚７は、電動昇降棚の内部を、幅広で乾燥または収納の機能を有する主要収納棚部３０と幅の狭い二つの収納スペース部３１とに区画するために、一対の側板５０の間に縦方向に設けられた一対の縦仕切り板５３と、この一対の縦仕切り板の間にかけ渡して水平方向に設けられ、主要収納棚部を上下に区画する１枚の横仕切り板５４とを備えている。【選択図】    図３
2005152072.tif 000002
【特許請求の範囲】
【請求項１】
下方が開口したケースと、このケースに電動で昇降可能に取付けられて収納引き出し可能な電動昇降棚とを備え、キッチンの上部に配置される昇降棚付き収納庫であって、
前記電動昇降棚は、
この電動昇降棚の内部を、幅広で乾燥または収納の機能を有する主要収納棚部と幅の狭い二つの収納スペース部とに区画するために、一対の側板の間に縦方向に設けられた一対の縦仕切り板と、
この一対の縦仕切り板の間にかけ渡して水平方向に設けられ、前記主要収納棚部を上下に区画する少なくとも１枚の横仕切り板とを備えたことを特徴とする昇降棚付き収納庫。
【請求項２】
請求項１に記載の昇降棚付き収納庫であって、前記電動昇降棚の前記一対の縦仕切り板と前記少なくとも１枚の横仕切り板は、前記電動昇降棚の内部を左右対称に区画していることを特徴とする昇降棚付き収納庫。
【請求項３】
請求項１または２に記載の昇降棚付き収納庫であって、
前記電動昇降棚の前記少なくとも１枚の横仕切り板の上面と下面の少なくとも一方に、前記一対の縦仕切り板の間に配置されて縦方向を向き前記主要収納棚部の一部または全部を左右に区画する少なくとも１枚の補助縦仕切り板が設けられていることを特徴とする昇降棚付き収納庫。
【請求項４】
請求項１，２または３に記載の昇降棚付き収納庫であって、
前記電動昇降棚は、前記側板と前記縦仕切り板との間にかけ渡して水平方向に設けられ前記収納スペース部を上下に区画する少なくとも１枚の補助横仕切り板を備えていることを特徴とする昇降棚付き収納庫。
【発明の詳細な説明】
【技術分野】
【０００１】
本発明は、システムキッチン（複合厨房家具）などの上部に配置される昇降棚付き収納庫に関する。
【背景技術】
【０００２】
台所の上方空間を有効に活用するために、システムキッチンなどの上部に吊戸棚や収納庫を配置する場合がある。この吊戸棚や収納庫は高い位置にあるので、台や椅子などを使って被収納物の出し入れをすることが多い。
そこで、被収納物の出し入れを容易にするために、電動で昇降動作可能な電動昇降棚を吊戸棚などに設け、この昇降棚を下方に引き出し可能にした昇降棚付き収納庫が知られている。
【０００３】
たとえば、特許文献１（特開２００３−９９６２号公報）には、下方を開放した外キャビネット内にスライド自在に内キャビネット（昇降棚）を設け、この内キャビネットの両側板間の前後端部に一対の金属製フレームを取付け、この金属製フレームに棚板を設けた昇降式吊り戸棚が提案されている。
この昇降式吊り戸棚は乾燥機能も有しており、内キャビネットに設けられた金属製のフレームと棚板は、水平方向に設けられ内キャビネットの内部を上下に大きく区画している。
【特許文献１】特開２００３−９９６２号公報
【発明の開示】
【発明が解決しようとする課題】
【０００４】
ユーザーが流し台（キッチン）で調理などを行うのに、吊り戸棚の昇降棚のどこのスペースにどの被収納物を収納するかということは、個人個人で異なっており、また調理作業の内容によっても異なる場合が多い。そのため、吊り戸棚の内部をより使い勝手よく区画すれば、良好な収納形態になって、ユーザーにとって便利であり調理作業などもはかどる。
また、乾いた被収納物と濡れた被収納物があると、これらを同じ昇降棚内に収納するのは湿気の点で好ましくないので、このような場合でも良好な収納形態を作り出すことができれば好都合である。
【０００５】
本発明は、このような課題を解決するためになされたもので、電動昇降棚の内部を乾燥や収納などの機能に対応させて使い勝手よく区画し良好な収納形態を実現することができ、且つ剛性の高い昇降棚付き収納庫を提供することを目的とする。
【課題を解決するための手段】
【０００６】
上述の目的を達成するため、本発明にかかる昇降棚付き収納庫は、下方が開口したケースと、このケースに電動で昇降可能に取付けられて収納引き出し可能な電動昇降棚とを備え、キッチンの上部に配置される昇降棚付き収納庫であって、前記電動昇降棚は、この電動昇降棚の内部を、幅広で乾燥または収納の機能を有する主要収納棚部と幅の狭い二つの収納スペース部とに区画するために、一対の側板の間に縦方向に設けられた一対の縦仕切り板と、この一対の縦仕切り板の間にかけ渡して水平方向に設けられ、前記主要収納棚部を上下に区画する少なくとも１枚の横仕切り板とを備えている。
前記電動昇降棚の前記一対の縦仕切り板と前記少なくとも１枚の横仕切り板は、前記電動昇降棚の内部を左右対称に区画しているのが好ましい。
前記電動昇降棚の前記少なくとも１枚の横仕切り板の上面と下面の少なくとも一方に、前記一対の縦仕切り板の間に配置されて縦方向を向き前記主要収納棚部の一部または全部を左右に区画する少なくとも１枚の補助縦仕切り板が設けられているのが好ましい。
前記電動昇降棚は、前記側板と前記縦仕切り板との間にかけ渡して水平方向に設けられ前記収納スペース部を上下に区画する少なくとも１枚の補助横仕切り板を備えているのが好ましい。
【発明の効果】
【０００７】
本発明の昇降棚付き収納庫は、上述のように構成したので、電動昇降棚の内部を乾燥や収納などの機能に対応させて使い勝手よく区画し良好な収納形態を実現することができ、且つ電動昇降棚の剛性を高めることができる。
【発明を実施するための最良の形態】
【０００８】
下記の実施例にかかる昇降棚付き収納庫では、電動昇降棚に一対の縦仕切り板と少なくとも１枚の横仕切り板を設けて、電動昇降棚の内部を区画することにより、乾燥や収納などの機能に対応させて使い勝手よく区画し良好な収納形態にするという目的を実現している。
【実施例】
【０００９】
以下、本発明にかかる実施例を、図１ないし図５を参照して説明する。
図１ないし図５は本発明の実施例を示す図で、図１は、昇降棚付き収納庫とシステムキッチンの正面図、図２は図１に示すシステムキッチンの平面図、図３は、図１に示す昇降棚付き収納庫の正面図、図４は、図１に示す昇降棚付き収納庫を側面から見た内部構造図、図５は、本実施例の各種変形例にかかる昇降棚付き収納庫の正面図で、図３相当図である。
なお、説明の便宜上、図１の左，右，上，下，紙面前方，紙面後方を、それぞれ昇降棚付き収納庫とシステムキッチンの左方，右方，上方，下方，前方，後方として説明する。
【００１０】
図１ないし図５に示すように、本実施例では、台所に設置されるキッチンの一種であるシステムキッチン（複合厨房家具）２の上部に昇降棚付き収納庫（以下、収納庫と記載）１が配置された場合を例にとって説明する。なお、収納庫１は、キッチンとしての流し台の上部に配置された場合であってもよい。
図１ないし図４に示す実施例では、電動の収納庫１に手動（または、電動）の昇降棚部３が並設された場合を示している。なお、本発明にかかる昇降棚付き収納庫１自体の基本的な構成は、電動昇降棚７が設けられた場合であるので、収納庫１に昇降棚部３が並設されていない場合であってもよい。
【００１１】
システムキッチン２は、床面上に設置されたキャビネット１０を有している。キャビネット１０には、各種形状，構造の複数の引き出し（引き出し１１，１２，１３など）が、引き出し収納自在に設けられている。
キャビネット１０は、左方から右方に順次並設された、コンロキャビネット１４，一方の調理台キャビネット１５，シンクキャビネット１６および他方の調理台キャビネット１７と、キャビネット１４〜１７の上部を覆って取付けられたワークトップ１８とにより構成されている。
コンロキャビネット１４にはコンロ１９が組み込まれている。一方の調理台キャビネット１５の上部のワークトップ１８は、調理台２０になっている。シンクキャビネット１６の上部のワークトップ１８には、シンク２１が形成されている。他方の調理台キャビネット１７には食器洗い乾燥機２２が取付けられ、上部のワークトップ１８は調理台２０になっている。
【００１２】
このように、コンロキャビネット１４に、コンロ１９，複数の引き出しなどが設けられて、単体としての厨房家具が構成されている。これと同様に、他のキャビネット１５，１６もそれぞれシンク２１や引き出しなどを有し、キャビネット１７も食器洗い乾燥機２２と引き出しを有しているので、システムキッチン２は、単体としての厨房家具が複合した複合厨房家具を構成している。
各キャビネット１４〜１７にそれぞれ設けられた引き出しのうち、キャビネット１４〜１７の最下段に配置された引き出し（引き出し１１など）は、蹴込み２４が形成され内部の収納用スペースを広くするように蹴込み２４の奥も含んだ構成を有する足下収納引き出しである。
【００１３】
収納庫１の横にはレンジフード２６が並設されている。レンジフード２６は、コンロ１９の上方で且つ収納庫１の左側に配置されている。レンジフード２６は、台所の壁および天井の一方または両方に、取付け具（図示せず）を介して支持されている。
なお、上方に延びた立ち上がり部をシステムキッチン２に設け、この立ち上がり部にレンジフード２６を設けてもよい。
【００１４】
収納庫１は、端部（ここでは、左側端部）に昇降棚部３を有してシステムキッチン２の上部に配置されている。収納庫１は、レンジフード２６と並んで右方向にほぼ水平に延びて配置された吊戸棚になっており、台所の壁および天井の一方または両方に取付け具（図示せず）を介して支持されている。
収納庫１は、下方が開口したケース２７と、ケース２７に電動で昇降可能に取付けられて収納引き出し可能な電動昇降棚７とを備えている。電動昇降棚７には、被収納物を出し入れ可能に収納できる。
被収納物の種類としては、調理中に頻繁に使用されるものたとえば、食器類，ふきん，まな板，箸類，お玉杓子，キッチンペーパー，小物類，食品類（粉物，パック類），お茶類，その他各種のものがある。
【００１５】
電動昇降棚７は、左右に縦方向に設けられた互いに平行な一対の側板５０と、側板５０の間にほぼ水平に取付けられた底板５１および天井板（図示せず）と、側板５０，底板５１，天井板に固定されて背面に配置された背板５２とを有し、前方が開放された矩形状をなしている。
ケース２７は、矩形状に形成され下方が開口している。ケース２７の後面と収納棚部３の後面は、レンジフード２６の後面と面一になっており、ケース２７の上面と収納棚部３の上面とレンジフード２６の上面は、ほぼ水平方向に面一になっている。
したがって、収納庫１，昇降棚部３およびレンジフード２６を、台所の壁面や天井面などに対して隙間がないように設置することができる。
【００１６】
図１ないし図４には電動昇降棚７を示しており、図５（Ａ）〜（Ｄ）にはそれぞれ各変形例にかかる電動昇降棚７ａ，７ｂ，７ｃ，７ｄを示している。電動昇降棚７，７ａ〜７ｄは、一対の縦仕切り板５３と、少なくとも１枚（ここでは、１枚または２枚）の横仕切り板５４とを備えている。
電動昇降棚７，７ａ，７ｃ，７ｄは、一対の縦仕切り板５３と１枚の横仕切り板５４とにより、前方から見てＨ形の仕切り構造になっている。
【００１７】
電動昇降棚７，７ａ〜７ｄにおいて、一対の縦仕切り板５３は、一対の側板５０の間に縦方向に設けられており、縦仕切り板５３と側板５０は平行になっている。一対の縦仕切り板５３は、電動昇降棚の内部を、幅広で乾燥または収納の機能を有する主要収納棚部３０と、幅の狭い二つの収納スペース部３１とに区画している。なお、主要収納棚部３０は、乾燥機能を有している場合は、被収納物を収納した状態でこれを乾燥するので収納の機能も兼ねている。
横仕切り板５４は、一対の縦仕切り板５３の間にかけ渡して水平方向に設けられ、主要収納棚部３０を上下に区画している。横仕切り板５４の両端部は縦仕切り板５３に固定され、後部は背板５２に固定されている。
なお、横仕切り板５４は、両端部が縦仕切り板５３に取付けられる金属製のフレームと、この金属製のフレームに取外し可能に設けられる棚板とにより構成される場合であってもよい。
【００１８】
主要収納棚部３０は乾燥機能を有しているので、ここに被収納物を収納すれば、温風で被収納物を乾燥させることができる。横仕切り板５４には、温風や湿気を含んだ空気が通過可能な、多数の小さな貫通孔を形成するかまたは網を設けるのが好ましい。なお、主要収納棚部３０は、収納の機能のみを有し乾燥機能がない場合であってもよい。
主要収納棚部３０の全体は、横仕切り板５４で上下に区画されているので、たとえば、横仕切り板５４（図５（Ｂ）に示す電動昇降棚７ｂのように横仕切り板５４が２枚の場合には、上の横仕切り板５４）より上方の主要収納棚部３０の部分のみが乾燥機能を有し、この横仕切り板５４より下方の主要収納棚部３０の部分は、乾燥機能を有さずに収納機能のみを有するように構成してもよい。
二つの収納スペース部３１は、主要収納棚部３０の左右両側に配置されている。各収納スペース部３１は、一方の側板５０，縦仕切り板５３，底板５１，天井板および背板５２で区画され、前方が開放した矩形状をなしている。
なお、本実施例の収納スペース部３１は、収納の機能のみを有しているが、この収納スペース部３１にも温風を導いて乾燥機能を発揮させるようにしてもよい。
【００１９】
このように、電動昇降棚７，７ａ〜７ｄは、一対の縦仕切り板５３と少なくとも１枚の横仕切り板５４を設けて、電動昇降棚７，７ａ〜７ｄの内部を区画したので、電動昇降棚７，７ａ〜７ｄの内部を乾燥や収納などの機能に対応させて使い勝手よく区画し、良好な収納形態を実現することができる。また、横仕切り板５４が一対の縦仕切り板５３の補強材としての機能を発揮するので、電動昇降棚７，７ａ〜７ｄの剛性を高めることができる。
電動昇降棚７，７ａ〜７ｄに、横仕切り板５４のほかに一対の縦仕切り板５３を設けたので、電動昇降棚７，７ａ〜７ｄの内部を小分けして区画することができ、ユーザーにとって使い勝手がよくなり、また、電動昇降棚７，７ａ〜７ｄの内部を無駄なスペースが発生しないように有効に使って被収納物を収納することができる。
電動昇降棚７，７ａ，７ｂ，７ｄの収納スペース部３１は、補助横仕切り板５４ａ（後述する）がなくて縦長のスペースなので、比較的長い形状の被収納物（たとえば、まな板，菜箸，お玉杓子）を立てた状態で収納することができる。
【００２０】
電動昇降棚７，７ａ〜７ｃでは、一対の縦仕切り板５３と少なくとも１枚（ここでは、１枚または２枚）の横仕切り板５４は、電動昇降棚７，７ａ〜７ｃの内部を左右対称に区画している。すなわち、一対の縦仕切り板５３で仕切られた主要収納棚部３０の両側に、同じ構成の二つの収納スペース部３１が左右対称に設けられている。また、電動昇降棚７，７ａ〜７ｃが左右対称になるように、操作部６１を有する把手６０が、電動昇降棚の左右方向中央部の下部に取付けられている。
このようにすれば、電動昇降棚７，７ａ〜７ｃ全体として左右のバランスがよいので、設計上，外観上および操作上好ましい。また、右勝手，左勝手を問わず対応できるので、右利き，左利きのいずれのユーザーにとっても便利であり、設計的にも共通化できる。
【００２１】
収納庫１の前方表面は、平面視でシステムキッチン２の前方表面より後方に下がった位置に配置されている。電動昇降棚７，７ａ〜７ｄは、下方に引き出されるとシンク２１の後方側に位置する。
したがって、ユーザーがシステムキッチン２で調理などの作業を行うとき、電動昇降棚７，７ａ〜７ｄを下方に引き出した状態で被収納物を容易に出し入れできて使い勝手がよく、また、電動昇降棚７，７ａ〜７ｄが下方に引き出されても、それほど調理などの作業の邪魔にはならない。
【００２２】
主要収納棚部３０と収納スペース部３１における収納形態の分類の一例として、調味料を収納をする調味料収納タイプ，ふきんやまな板など濡れた状態の被収納物を収納するウェット収納タイプ，およびキッチンペーパーや小物類など乾いた状態の被収納物を収納するドライ収納タイプなどがある。
電動昇降棚７，７ａ〜７ｄの内部が仕切り板５３，５４で小分けして区画されているので、これらの収納タイプを任意に組み合わせて良好な収納形態を容易に作り出すことができる。
たとえば、ウェット収納タイプのスペースとドライ収納タイプのスペースが縦仕切り板５３，横仕切り板５４で仕切られているので、濡れた状態の被収納物が、乾いた被収納物と直接接触することはなく湿気も防ぐことができる。
【００２３】
電動昇降棚７，７ａ〜７ｄは、その把手６０の操作部６１を操作すれば、操作部６１から出力される信号で、モータなどを有する駆動部６２が駆動される。これにより、電動昇降棚７，７ａ〜７ｄが、矢印Ｅに示すように昇降して、ケース２７に対して収納引き出し可能になる。
操作部６１を操作すれば、電動昇降棚７，７ａ〜７ｄは、駆動部６２に駆動されて上昇動作と下降動作を行うとともに、任意の位置で停止可能である。したがって、システムキッチン２での調理などの作業時に、電動昇降棚７，７ａ〜７ｄを容易に下方に引き出すことができる。この状態で、主要収納棚部３０とその両側の収納スペース部３１とに対して、被収納物を出し入れする。
上述の収納庫１によれば、システムキッチン２での調理などの作業時に、電動昇降棚７，７ａ〜７ｄを下方に引き出した状態で、被収納物を主要収納棚部３０のほかに収納スペース部３１に容易に出し入れできるので使い勝手がよい。
【００２４】
次に、本実施例の各種変形例にかかる昇降棚付き収納庫７ａ〜７ｄについて、図５を参照して説明する。なお、本実施例と同一または相当部分には同一符号を付してその説明を省略し、異なる部分のみ説明する。
図５（Ａ）に示す電動昇降棚７ａにおいて、少なくとも１枚（ここでは、１枚）の横仕切り板５４の上面と下面の少なくとも一方（ここでは、横仕切り板５４の上面）に、少なくとも１枚（ここでは、１枚）の補助縦仕切り板５３ａが設けられている。
補助縦仕切り板５３ａは、一対の縦仕切り板５３の間に配置されて縦方向を向き、主要収納棚部３０の一部または全部（ここでは、一部）を左右に区画している。すなわち、横仕切り板５４で上下に区画された主要収納棚部３０のうち上半分のスペースに、補助縦仕切り板５３ａが配置されている。補助縦仕切り板５３ａは、横仕切り板５４，背板５２および天井板に固定されている。
なお、主要収納棚部３０の上半分のスペースに補助縦仕切り板５３ａを設けた場合を示したが、主要収納棚部３０の下半分のスペースにも補助縦仕切り板を設けて、主要収納棚部３０の全部を左右に区画する場合であってもよい。
また、補助縦仕切り板５３ａは左右方向の中央部に配置されて、電動昇降棚７ａが左右対称になっているが、補助縦仕切り板５３ａは中心位置から左右の一方にずれた位置に配置された場合でもよい。
【００２５】
図５（Ｂ）に示す電動昇降棚７ｂは、複数枚（ここでは、２枚）の横仕切り板５４を、一対の縦仕切り板５３の間にかけ渡して水平方向に設け、主要収納棚部３０を上下三つのスペースに区画した場合を示している。
【００２６】
図５（Ｃ）に示す電動昇降棚７ｃは、少なくとも１枚（ここでは、２枚）の補助横仕切り板５４ａを備えている。補助横仕切り板５４ａは、側板５０と縦仕切り板５３との間にかけ渡して水平方向に設けられ、収納スペース部３１を上下に区画している。
左側の収納スペース部３１を上下に区画する１枚の補助横仕切り板５４ａは、主要収納棚部３０を上下に区画する横仕切り板５４と同じ高さ位置に配置されている。右側の収納スペース部３１を上下に区画する１枚の補助横仕切り板５４ａは、横仕切り板５４の高さ位置より下方に（または、上方に）配置されている。
各補助横仕切り板５４ａは、側板５０，縦仕切り板５３，背板５２に固定されている。なお、各補助横仕切り板５４ａの高さ位置は別の高さ位置であってもよく、また、同じ収納スペース部３１に複数枚の補助横仕切り板５４ａを設けてもよい。
【００２７】
電動昇降棚７ａ〜７ｃでは、補助縦仕切り板５３ａ，複数の横仕切り板５４，補助横仕切り板５４ａにより、電動昇降棚７ａ〜７ｃの内部をさらに小分けしたので、ユーザーにとってより使い勝手がよくなって収納効率が向上し、より良好な収納形態を実現することができる。
【００２８】
図５（Ｄ）に示す電動昇降棚７ｄは、一対の縦仕切り板５３と少なくとも１枚（ここでは、１枚）の横仕切り板５４が、電動昇降棚７ｄの内部を左右非対称に区画している場合を示している。
たとえば、右側の収納スペース部３１より左側の収納スペース部３１の方が左右方向に幅広になるように、左側の縦仕切り板５３を右方向に寄せて配置している。このように、縦仕切り板５３の左右方向の取付け位置を変更することにより、そのユーザーにとって使い勝手がよく良好な収納形態にすることができる。
【００２９】
なお、本実施例，各種変形例における電動昇降棚７，７ａ〜７ｄの各構成を、任意に組合わせた場合であってもよい。
また、補助縦仕切り板５３ａ，横仕切り板５４，補助横仕切り板５４ａは、固定された場合を示したが、着脱可能にしたり、別の位置に取付け位置を容易に変更できるようにすれば、さらに使い勝手がよくなる。
【００３０】
昇降棚部３は、収納庫１の左側端部に取付けられて、一つのユニットを構成している。昇降棚部３がユニットになっているので、収納庫１に昇降棚部３を容易に組み込むことができる。
本実施例では、昇降棚部３が収納庫１の左方の端部に配置されているが、収納庫１の右方の端部に配置してもよい。すなわち、システムキッチン，昇降棚付き収納庫およびレンジフード２６が、本実施形態のものとは左右対称の構成で、レンジフード２６とコンロ１９が右側に配置されている場合には、収納庫１は、システムキッチンの上部に配置し、且つ収納棚部３を収納庫１の右側端部に配設するのが好ましい。
このように、昇降棚部３を収納庫１に並設すれば、電動昇降棚７，７ａ〜７ｄと昇降棚部３の手動昇降棚を適宜使い分けることができるので、作業の能率がさらに向上する。
【００３１】
以上、本発明の実施例（変形例を含む）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３２】
本発明は、電動で昇降可能な電動昇降棚を有し、システムキッチンなどの上部に配置される昇降棚付き収納庫に適用可能である。
【図面の簡単な説明】
【００３３】
【図１】図１ないし図５は本発明の実施例を示す図で、図１は、昇降棚付き収納庫とシステムキッチンの正面図である。
【図２】図１に示すシステムキッチンの平面図である。
【図３】図１に示す昇降棚付き収納庫の正面図である。
【図４】図１に示す昇降棚付き収納庫を側面から見た内部構造図である。
【図５】本実施例の各種変形例にかかる昇降棚付き収納庫の正面図で、図３相当図である。
【符号の説明】
【００３４】
１      昇降棚付き収納庫
２      システムキッチン（キッチン）
７，７ａ〜７ｄ    電動昇降棚
２７    ケース
３０    主要収納棚部
３１    収納スペース部
５０    側板
５３    縦仕切り板
５３ａ  補助縦仕切り板
５４    横仕切り板
５４ａ  補助横仕切り板
【図１】
2005152072.tif 000003
【図２】
2005152072.tif 000004
【図３】
2005152072.tif 000005
【図４】
2005152072.tif 000006
【図５】
2005152072.tif 000007